(57)【要約】【課題】改良された磁場センサーおよびその製造方法を提供すること。【解決手段】３つのブリッジ回路１０１、１１１、１２１であって、各ブリッジ回路は、単一のピン止め材料堆積およびバルクウエハ設定手順を用いて設定される３つの直交方向１１０、１２０、１３０の磁場１６０を検知するためのホイートストンブリッジ１００として結合される磁気抵抗センサーを含む。３つのブリッジ回路の１つ１２１は、ピン止め層１２６に配置され、第１および第２の端部と第１および第２の面とを有する第１の検知素子１２２と、基板の第１の面に非平行に配置され、第１の端部に近接し、かつ第１の検知素子１２２の第１の面上の端部を有する第１の磁束ガイド１３２とを備える第１の磁気抵抗センサー１４１を含む。オプションの第２の磁束ガイド１３６は、基板の第１の面に非平行に配置されており、第１の検知素子１２２の第２の端部および第２の面に近接する端部を有する。【選択図】  図１
2016048256.tif 000002
【特許請求の範囲】
【請求項１】
磁場センサーであって、
第１の磁気抵抗センサー、第２の磁気抵抗センサー、第３の磁気抵抗センサー、および第４の磁気抵抗センサーを含む第１のブリッジ回路であって、該第１、第２、第３及び第４の磁気抵抗センサーは、該第１、第２、第３及び第４の磁気抵抗センサーの平面に直交する第１の方向における磁場を検知するホイートストンブリッジとして結合されている、前記第１のブリッジ回路を備え、
前記第１の磁気抵抗センサーは、
第１の端部および第２の端部を有する第１の検知素子と、
前記第１の検知素子の第１の端部と直交し、かつ該第１の端部から離間して配置された第１の磁束ガイドとを含み、
前記第２の磁気抵抗センサーは、
第１の端部および第２の端部を有する第２の検知素子と、
前記第２の検知素子の第２の端部と直交し、かつ該第２の端部から離間して配置された第２の磁束ガイドとを含み、
前記第３の磁気抵抗センサーは、
第１の端部および第２の端部を有する第３の検知素子と、
前記第３の検知素子の第１の端部と直交し、かつ該第１の端部から離間して配置された第３の磁束ガイドとを含み、
前記第４の磁気抵抗センサーは、
第１の端部および第２の端部を有する第４の検知素子と、
前記第４の検知素子の第２の端部と直交し、かつ該第２の端部から離間して配置された第４の磁束ガイドとを含む、磁場センサー。
【請求項２】
前記第１、第２、第３、及び第４の磁束ガイドのうちの少なくとも一つは、高透磁性材料を含む、請求項１に記載の磁場センサー。
【請求項３】
前記高透磁性材料は、ニッケル鉄を含む、請求項２に記載の磁場センサー。
【請求項４】
前記第１の磁束ガイド、前記第２の磁束ガイド、前記第３の磁束ガイド、及び前記第４の磁束ガイドのうちの一つ以上のガイドは、前記第１の検知素子、前記第２の検知素子、前記第３の検知素子、及び前記第４の検知素子の下方にそれぞれ配置されている、請求項１に記載の磁場センサー。
【請求項５】
前記第１の磁束ガイド、前記第２の磁束ガイド、前記第３の磁束ガイド、及び前記第４の磁束ガイドのうちの一つ以上のガイドは、前記第１の検知素子、前記第２の検知素子、前記第３の検知素子、及び前記第４の検知素子の上方にそれぞれ配置されている、請求項１に記載の磁場センサー。
【請求項６】
前記第１の磁気抵抗センサーは、
前記第１の検知素子の第２の端部と直交し、かつ該第２の端部から離間して配置された第５の磁束ガイドをさらに含み、
前記第２の磁気抵抗センサーは、
前記第２の検知素子の第１の端部と直交し、かつ該第１の端部から離間して配置された第６の磁束ガイドをさらに含み、
前記第３の磁気抵抗センサーは、
前記第３の検知素子の第２の端部と直交し、かつ該第２の端部から離間して配置された第７の磁束ガイドをさらに含み、
前記第４の磁気抵抗センサーは、
前記第４の検知素子の第１の端部と直交し、かつ該第１の端部から離間して配置された第８の磁束ガイドをさらに含む、請求項１に記載の磁場センサー。
【請求項７】
前記第１の方向にける磁場は、前記第１の方向と直交する第２の方向に沿って前記第１の検知素子および前記第２の検知素子において非対称応答を生成する、請求項１に記載の磁場センサー。
【請求項８】
前記第１の検知素子は、第１のピン止め層を含み、前記第２の検知素子は、第２のピン止め層を含み、前記第１及び第２のピン止め層の各々は、ピン止め方向を含み、
前記第１方向における磁場の検出に応答して、前記第１の検知素子の磁化は、前記第１のピン止め層のピン止め方向から離れるように回転し、前記第２の検知素子の磁化は、前記第２のピン止め層のピン止め方向に向かって回転する、請求項１に記載の磁場センサー。
【請求項９】
前記第１方向における磁場の検出に応答して、前記第１の検知素子の磁化は、第１のピン止め層のより高い抵抗に回転し、前記第２の検知素子の磁化は、第２のピン止め層のより低い抵抗に回転する、請求項１に記載の磁場センサー。
【請求項１０】
前記第２の方向にける磁場は、前記第２の方向に沿って前記第１の検知素子および前記第２の検知素子において対称応答を生成する、請求項７に記載の磁場センサー。
【請求項１１】
前記第１および第２の磁気抵抗センサーは、ホイートストンブリッジにおいて、動作時に前記第２の方向における磁場応答を排除するように接続されている、請求項７に記載の磁場センサー。
【請求項１２】
前記第１および第２の磁気抵抗センサーは、ホイートストンブリッジにおいて、動作時に前記第１の方向における磁場応答を倍増するように接続されている、請求項７に記載の磁場センサー。
【発明の詳細な説明】
【技術分野】
【０００１】
本発明は、一般に、磁気エレクトロニクスデバイスの分野に関し、具体的には、３つの直交方向の磁場を検知するために使用されるＣＭＯＳ互換磁気エレクトロニクス磁場センサーに関する。
【背景技術】
【０００２】
位置、運動、力、加速度、温度、圧力など、物理的パラメータを測定または検出するために最近のシステムではセンサーが広く使用される。これらおよびその他のパラメータを測定するための様々なセンサータイプが存在するが、それらはすべて様々な制約を抱えている。たとえば、電子コンパスおよび他の同様の磁気検知アプリケーションで使用されるセンサーなど、廉価な低磁場センサーは、一般に、異方性磁気抵抗（ＡＭＲ）ベースのデバイスからなる。ＣＭＯＳとよく整合する所要感度および適正な抵抗を達成するために、このようなセンサーのセンシングユニットは一般にサイズが約数平方ミリメートルである。モバイルアプリケーションの場合、このようなＡＭＲセンサー構成は、費用、回路面積、および消費電力の点で高価である。
【０００３】
ホール効果センサー、巨大磁気抵抗（ＧＭＲ）センサー、および磁気トンネル接合（ＭＴＪ）センサーなど、他のタイプのセンサーは、外形が比較的小さいセンサーを提供するために使用されているが、このようなセンサーは、感度が不十分であり温度変化による影響を受けるなど、それぞれの問題を有している。これらの問題に対処するために、ホイートストンブリッジ構成のＭＴＪセンサーおよびＧＭＲセンサーが採用され感度を高めて温度に依存する抵抗変化を排除している。多くの磁気検知技術は、直交軸を除外して本質的に単一配向の印加磁場に対応している。実際に、各検知軸に対してホイートストンブリッジ構成を採用することによって地球の磁場方向を検出するために電子コンパスのアプリケーション用に２軸磁場センサーが開発されている。
【０００４】
たとえば、ホールセンサーは一般に基板表面に垂直な面外磁場成分に応答するが、磁気抵抗センサーは面内の印加磁場に応答する。これらの応答軸を利用する省スペースの３軸センシングソリューションの開発は、典型的に、互いに直交角度で配置される１つまたは複数のチップを有するマルチ・チップ・モジュールを含む。磁気抵抗センサーの場合、直交面内成分は慎重なセンサー設計によって実現されるかもしれないが、面外応答は一般に垂直に取り付けられている第２のチップに接触させる垂直ボンディングまたははんだリフローによって得られる。垂直ボンディングされたチップのサイズは典型的に取扱い上の制約から決定されるようなパッドピッチに支配されるので、このような手法は垂直方向に大きく広がる完成品パッケージ、高額なダイ、および高額な組立費をもたらし、スルー・チップ・ビアを組み込む必要があるので、チップ・スケール・パッケージングが困難かつ高価になる。
【発明の概要】
【発明が解決しようとする課題】
【０００５】
したがって、３次元の印加磁場に応答する単一チップ磁場センサーを形成するための改良された設計および製造プロセスの必要性が存在する。また、モバイルアプリケーションに使用される集積回路構造として効率的かつ安価に構成されうる３軸センサーが必要である。また、先に略述したような当技術分野における諸問題を克服するために改良された磁場センサーおよび製造が必要である。
【課題を解決するための手段】
【０００６】
強磁性薄膜ベースの磁場センサーは、平面を有する基板と、基板の平面に平行な第１の面を有する第１の検知素子であって、第１の面に向かい合う第２の面を有し、かつ第１および第２の対向する端部を有する第１の検知素子と、基板の第１の面に非平行に配置され、かつ第１の検知素子の第１の端部と第１の面に近接する端部を有する第１の磁束ガイドとを含む第１の磁気抵抗センサーを備える。オプションの第２の磁束ガイドは、基板の第１の面に非平行に配置され、第１の検知素子の第２の端部と第２の面とに隣接する端部を有する。
【０００７】
別の例示的な実施形態では、強磁性薄膜ベースの磁場センサーは、第１、第２、および第３の磁気抵抗センサーを含む。第１の磁気トンネル接合センサーは、第１のピン止め層と、第１のピン止め層に形成された第１の検知素子とを含み、第２の磁気トンネル接合センサーは、第２のピン止め層と、第２のピン止め層に形成され、第１の検知素子と直交する第２の検知素子とを含み、第３の磁気トンネル接合センサーは、第３のピン止め層と、第３のピン止め層に形成された第３の検知素子とを含み、第３のピン止め層は、第１および第２のピン止め層の各々に対して約４５°で配置され、第３の検知素子は、第１および第２の端部と、第１および第２の面とを有する。磁束ガイドが基板の平面に非平行に配置され、第３の検知素子の第１の端部と第１の面とに近接する端部を有する。
【０００８】
以下の詳細説明は、実際には単なる例示であり、本発明や本発明の適用または利用を制限するものではない。さらに、前述の背景または以下の詳細な説明において提示されるいかなる理論も拘束を意図するものではない。
【０００９】
高透磁性材料、たとえば、ニッケル鉄（ＮｉＦｅ）の高アスペクト比の垂直バー（磁束ガイド）の集積によって、その端部は磁気検知素子の対向する端部または対向する面のごく近くで終点し、Ｚ軸磁場の一部分はＸＹ平面にもたらされる。これらの磁束ガイドは、Ｚ方向に配向される印加磁場からの磁束を取り込む働きをし、その際に、磁束ガイドの端部近くで磁力線を実質的に水平に曲げる。磁束ガイドを非対称に配置することによって、たとえば、磁束ガイドセグメントをホイートストンブリッジの４脚（leg）のうちの２脚の検知素子の左端部上方に、また磁束ガイドを他の２脚の検知素子の右端部上方に配置することによって、水平成分が２対の脚に対して反対方向に作用して強力な差動信号を生じさせてもよい。ＸまたはＹ方向に印加される磁場は、ブリッジの４つすべての脚に等しく投影し、それによって、完全に相殺されて最終的なセンサー信号に影響しない。磁場信号のＸおよびＹ成分を決定する磁場センサーチップに独立したブリッジが含まれ、こうして、３つすべての空間的配向の成分を有する磁場は、たとえば、磁気トンネル接合（ＭＴＪ）検知素子に基づいて単一チップ磁気抵抗検知モジュールによって正確に決定されうる。有限要素法（ＦＥＭ）シミュレーションから、たとえば、幅２５ｎｍ×高さ５００ｎｍで第３の方向に数μｍ延在する１対の高アスペクト比の磁束ガイドは、最適に配置されるとき、同じ強度の面内（ｘ軸）磁場から測定される信号の約８０％の信号を個々の素子に供給することが示されている。さらなる信号が磁束ガイドのごく近傍を通ってセンサーで得られる可能性があり、磁束ガイドの高さが増加し、ガイド形状をさらに成形する。１つの例は、検知素子の端部を越えて延在する検知素子に平行な水平セグメントを追加することである。他の例は、検知素子の外端部と整列される内部水平セグメントを備えるＵ字形、磁束ガイドを検知素子の平面に部分的に延在させる垂直セグメントの角度のある端部、および同様に配置された箱型構造を形成することである。これらの形状は、案内される磁束の水平成分をさらに強化してこれをセンサーのより中心部に移動する働きをする。磁束ガイドとして利用される個々の２５ｎｍ幅の垂直バーを有する構造は、オーバーレイ誤差に対する余裕が有り、単一の磁束案内層と検知層との間の８５ｎｍ（３σ）のずれに対して２．５％の割合で見かけのｘ〜ｚ磁場変換（別個に配線されたホイートストンブリッジに対して）を生成する。
【００１０】
磁束案内層は、磁気ランダム・アクセス・メモリ（ＭＲＡＭ）プロセスフローにおいて典型的に使用される層から形成されてもよく、プロセスフローの間に、本明細書において磁束ガイドと呼ばれる高透磁性材料（典型的な磁気メモリデバイスなどにおける）で被覆されるビットラインおよびディジットラインは、メモリ記憶素子の切替えに必要な電流を低減するために存在するフィールド因子を増加させるために使用される。センサーへの応答では、溝の底に存在する被覆を取り除くために同じプロセスフローがディジットラインの底をスパッタアウトするオプションの付加的なステップを伴って使用されてもよい。磁束案内に使用される被覆の高さおよび幅が、前述の例示的なプロセスにおいて使用される、それぞれ、５００ｎｍおよび２５ｎｍの代わる最適値であるようにプロセスフローが変更されてもよい。
【００１１】
バルクウエハに多軸ピン止めを提供する方法および装置を後でさらに詳しく説明するが、バルクウエハは３つの異なるピン止め方向を有する種々の基準層を備える集積回路センサーを形成するために使用されてもよく、その２つのピン止め方向は、実質的に直交しており、単一ピン止め材料堆積およびバルクウエハ設定手順によって設定される。予備段階として、強磁性および反強磁性材料の１層または複数層のスタックは、エッチングされて高アスペクト比の２次元形状を有する成形された基準層となり、形状は各基準層の所望の磁化方向の差異を示す。用いられる材料および手法に応じて、最終磁化方向は成形層の短軸または長軸に沿って配向されてもよい。たとえば、ピン止め層がミクロン規模の寸法にパターン化されるわずかに不平衡な合成反強磁性体（ＳＡＦ）で形成される場合、磁化は短軸に沿った向きとなる。当業者には理解されるように、ＳＡＦの実施形態は、磁気エレクトロニクスデバイスにピン止めＳＡＦ基準層を使用することに関連して多くの利益がもたらされる。他の実施形態では、ピン止めされた固定層の厚さとパターン化構造の面内空間広がりとを制御することによって、最終磁化は長軸に沿った向きとなり得る。形状異方性を利用すると、基準層に対する所望の磁化方向間に整列される配向磁場の存在下での加熱によって基準層内に種々の磁化方向が誘導される。選択された実施形態では、基準層は、異方性の材料成分を低減するために十分に加熱され、形状および外部磁場によって磁化方向を支配することができる。こうして、配向磁場が取り除かれると、形状異方性が磁化を所望の方向に向かわせる。配向磁場を取り除くと、形成された基準層の所望の軸に沿って整列される磁化を誘導するように、基準層の磁化が緩和して基準層の形状に従う。直交性を導きやすくするためにオプションの補償磁場が印加されてもよく、その際、基準層は反強磁性ピン止め層の相転移温度以上に加熱される。たとえば、２つの基準層が互いに垂直である比較的長い寸法を有するように形成される場合、２つの基準層に対して誘導される磁化は互いに垂直に近くなる。
【００１２】
ここで、本発明の様々な具体的実施形態を添付図を参照して詳しく説明する。以下の説明では様々な詳細を記述するが、本発明はこれらの具体的詳細なしで実施されてもよく、また、デバイス設計者の具体的な目標を実現するために本明細書に記載される本発明に対して、実施例によって異なるプロセス技術または設計に関わる制約の順守など、多くの実施例固有の判断がなされてもよいことが理解されよう。このような開発努力は複雑で時間がかかるかもしれないが、これは本開示の利益を有する当業者にとって日常的な仕事であろう。さらに、選択された態様は、本発明が制限されたり曖昧になったりしないよう、すべてのデバイスの特徴または形状を含めずに簡略断面図を参照して描かれている。また、この詳細説明では、磁場センサー設計および動作、磁気抵抗ランダム・アクセス・メモリ（ＭＲＡＭ）設計、ＭＲＡＭ動作、半導体デバイス製造、および集積回路デバイスのその他の態様に関する従来の手法および特徴が本明細書では詳しく説明されないかもしれない。一定の材料は既存のＭＲＡＭ製造プロセスの一部として集積回路センサーを製造するために形成されて除去されているが、このような詳細は周知であり本発明の実施または作成方法もしくは利用方法を当業者に教示する必要があるとは考えられないので、このような材料を形成または除去する具体的な手順については以下で詳述しない。さらに、本明細書に含まれる様々な図に示される回路／部品レイアウトおよび構成は、本発明の例示的な実施形態を表わすものである。多くの代替的または追加的回路／部品レイアウトが実際の実施形態に存在していてもよいことに留意されたい。
【図面の簡単な説明】
【００１３】
【図１】例示的な実施形態に従ってＭＴＪセンサーを有する３つのブリッジ構成から形成される差動センサーを用いる電子コンパスの構成を示す。
【図２】例示的な実施形態による図１のＺ軸ブリッジ構成の部分断面図である。
【図３】図２の４つの磁気トンネル接合センサーの２つの有限要素シミュレーションによって計算される磁束線の図である。
【図４】別の例示的な実施形態による図１のＺ軸ブリッジ構成の部分断面図である。
【図５】さらに別の例示的な実施形態による図１のＺ軸ブリッジ構成の部分断面図である。
【図６】図５に示される磁束ガイドの別の形状である。
【図７】図５に示される磁束ガイドのさらに別の形状である。
【図８】図５に示される磁束ガイドのまたさらに別の形状である。
【図９】センサーと被覆材との間隔に応じて単一の（差動的に配線されていない）ＭＴＪ検知素子のＸ感度のパーセンテージとして表わされるＺ感度を示すグラフである。
【発明を実施するための形態】
【００１４】
さらに、本発明の他の望ましい特徴および特性は、添付図面およびこの背景を併用した以後の詳細な説明および添付の特許請求の範囲から明らかになるであろう。
以下では、本発明の実施形態が以下の図面と関連付けて説明され、図面において同様の参照符号は同様の要素を表わす。
【００１５】
説明を簡単かつ明瞭にするために、図面に示される要素は必ずしも一定の縮尺で描かれていないことが理解されよう。たとえば、要素の一部の寸法は、明瞭さと理解を促進し改善することを目的として他の要素に比べて誇張されている。さらに、適切であると考えられる場合、対応する要素または類似する要素を表わすために参照符号が図面中で反復されている。
【００１６】
図１は、それぞれ、第１の軸１２０（たとえば、ｙ軸方向）、第２の軸１１０（たとえば、ｘ軸方向）、および第３の軸１３０（たとえば、ｚ軸方向）に沿った印加磁場の成分方向を検出する、第１、第２、および第３の差動センサー１０１、１１１、１２１で形成される磁場センサー１００を示す。ｚ軸方向は、図１が位置するページに入るか、あるいはこのページから出て行く点および十字線として表わされる。第１および第２のセンサー１０１、１１１の例示的な実施形態は、米国特許出願第１２／４３３，６７９号明細書に記載されている。本明細書に示されるように、各センサー１０１、１１１、１２１は、ブリッジ構成で接続される遮蔽されていない検知素子で形成される。それゆえ、第１のセンサー１０１は、対応する複数のピン止め層１０６〜１０９の上方のブリッジ構成の複数の検知素子１０２〜１０５の接続から形成され、ピン止め層１０６〜１０９の各々はｘ軸方向に磁化される。同様に、第２のセンサー１１１は、対応する複数のピン止め層１１６〜１１９の上方のブリッジ構成の複数の検知素子１１２〜１１５の接続から形成され、ピン止め層１１６〜１１９の各々はピン止め層１０６〜１０９の磁化方向に垂直であるｙ軸方向に磁化される。さらに、第１および第２のセンサー１０１、１１１と同じ面内の第３のセンサー１２１は、対応する複数のピン止め層１２６〜１２９の上方のブリッジ構成の複数の検知素子１２２〜１２５の接続から形成され、ピン止め層１２６〜１２９は各々がピン止め層１０６〜１０９および１１６〜１１９の磁化方向に対して４５°であるｘｙ軸方向に磁化される。図示されたブリッジ構成１０１では、検知素子１０２、１０４は第１の容易軸磁化方向を有するように形成され、検知素子１０３、１０５は第２の容易軸磁化方向を有するように形成され、第１および第２の容易軸磁化方向は互いに対して直交し、ピン止め層１０６〜１０９の磁化方向から等しく異なるように配向される。第２のブリッジ構成１１１に関しては、第１および第２の容易軸磁化方向がピン止め層１１６〜１１９の磁化方向から等しく異なるように配向されるように検知素子１１２，１１４は、検知素子１１３、１１５に対する第２の容易軸磁化方向に直交する第１の容易軸磁化方向を有する。第３のブリッジ構成１２１では、検知素子１２２、１２３、１２４、および１２５はすべてピン止め層１２６、１２７、１２８、および１２９のピン止め磁化方向に直交する容易軸磁化方向を有する。第３のブリッジ構成１２１は、それぞれ、検知素子１２２〜１２５の右端部に隣接して配置される磁束ガイド１３２〜１３５と、検知素子１２２〜１２５の左端部に隣接して配置される磁束ガイド１３６〜１３９とをさらに含む。磁束ガイド１３２、１３７、１３４、および１３９は検知素子１２２〜１２５の上方に配置され、磁束ガイド１３６、１３３、１３８、および１３５は検知素子１２２〜１２５の下方に配置される。これら磁束ガイド１３２〜１３９の位置決めについては、後で、図２においてさらに詳しく説明する。図示されたセンサー１０１、１１１、１２１では、検知素子にとって遮蔽が必要でなく、特別な基準素子も必要でない。例示的な実施形態では、ｘおよびｙセンサーに対し���９０°だけ互いに偏向されるように参照された検知素子の容易磁化軸を確立するために形状異方性手法を用いて各アクティブな検知素子（たとえば、１０２、１０４）を別のアクティブな検知素子（たとえば、１０３、１０５）と参照するとともに、Ｚセンサーに対するＺ方向の印加磁場と逆に応答する検知素子を参照することによって実現される。Ｚセンサーの参照を以下でさらに詳しく説明する。図１に示す構成は、図２でさらに詳しく説明する第３のセンサー１２１の構造の利点を取り入れるためには必要でなく、例として示しているだけである。
【００１７】
各々がセンサーのピン止め方向から等しく偏向され、かつ各センサーにおいて互いに直交する検知素子配向を有する、第１および第２のセンサー１０１、１１１が直交整列されるように位置決めすることによって、センサーは第１および第２の軸に沿った印加磁場の成分方向を検出しうる。磁束ガイド１３２〜１３９は、センサー１２１において、脚(leg)１４１、１４３と脚１４２、１４４の間に非対称に素子１２２〜１２５の反対端部の上方および下方に配置される。磁束ガイド１３２、１３４は検知素子１２２、１２４の上方に設置されるので、Ｚ磁場からの磁束は磁束ガイド１３２および１３４によって右側に沿ってｘｙ平面に導かれ、検知素子１２２および１２４の磁化をより高い抵抗に向かう第１の方向に回転させ得る。同様に、Ｚ磁場からの磁束は磁束ガイド１３３および１３５によって検知素子の右側に沿ってｘｙ平面に導かれ、これらの磁束ガイドは検知素子１２３、１２５の下方にあるので検知素子１２３および１２５の磁化をより低い抵抗に向かう第１の方向から反対の第２の方向に回転させ得る。それゆえ、センサー１２１は、第３の軸に沿って印加磁場の成分方向を検出しうる。好ましい実施形態では、磁束ガイドが磁場センサーの平面と直交する平面内にあるが、磁束ガイドはセンサーとともに作る角度が正確に９０°でなくても機能する。他の実施形態では、磁束ガイドと磁場センサーとの角度が４５°〜１３５°の範囲にある可能性があり、正確な角度は製造の容易さなどの他の要因に応じて選定される。
【００１８】
前述の説明から分かるように、磁場センサーは、遮蔽されていない検知素子１０２〜１０５と、１１２〜１１５と、それぞれピン止めされた、あるいは基準層１０６〜１０９、１１６〜１１９、および１２６〜１２９上でブリッジ構成で接続された案内磁束を有する検知素子１２２〜１２５とを使用する差動センサー１０１、１１１、１２１から形成されて、印加磁場の存在および方向を検出するようにしてもよい。この構成では、磁場センサーは、良好な感度を提供するとともにブリッジ構成の温度補償特性も提供する。
【００１９】
ブリッジ回路１０１、１１１、１２１は、磁束案内構造の様々なセンサー層および断面の磁場配向を制御するために、ごくわずかに調整するだけで既存のＭＲＡＭまたは薄膜センサー製造プロセスの一部として製造されてもよい。ピン止め層１０６〜１０９、１１６〜１１９、および１２６〜１２９の各々は、１つまたは複数の下位の強磁性層で形成されてもよく、検知素子１０２〜１０５、１１２〜１１５、１２２〜１２５の各々は１つまたは複数の上位の強磁性層で形成されてもよい。検知素子１０２〜１０５、１１２〜１１５、１２２〜１２５とピン止め層１０６〜１０９、１１６〜１１９、および１２６〜１２９との間には絶縁トンネリング誘電体層（図示せず）が配置されてもよい。ピン止め電極および検知電極は、その磁化方向が整列されうる磁性材料であることが望ましい。適切な電極材料と、磁気抵抗ランダム・アクセス・メモリ（ＭＲＡＭ）デバイスおよび他の磁気トンネル接合（ＭＴＪ）センサーデバイスの電極に一般的に使用される構造物への材料の配置とは、当技術分野において周知である。たとえば、ピン止め層１０６〜１０９、１１６〜１１９、および１２６〜１２９は、１層または複数層の強磁性材料および反強磁性材料で１０〜１０００Å（１ｎｍ〜１００ｎｍ）の範囲、また選択された実施形態では２５０〜３５０Å（２５ｎｍ〜３５ｎｍ）の一体的な厚さに形成されてもよい。例示的な実施例では、ピン止め層１０６〜１０９、１１６〜１１９、および１２６〜１２９の各々は、単一の強磁性層と下層の反強磁性ピン止め層とで形成される。別の例示的な実施例では、各ピン止め層１０６〜１０９、１１６〜１１９、および１２６〜１２９は、厚さが２０〜８０Å（２ｎｍ〜８ｎｍ）の合成反強磁性スタック成分（たとえば、ＣＦ（コバルト鉄）、ルテニウム（Ｒｕ）、およびＣＦＢのスタック）と、厚さがおよそ２００Å（２０ｎｍ）の下層の反強磁性ピン止め層とを含む。下位の反強磁性ピン止め材料は、ＩｒＭｎなどの再設定可能な材料であってもよいが、適正温度で容易に再設定されないＰｔＭｎなどの他の材料が使用されうる。形成されたピン止め層１０６〜１０９、１１６〜１１９、および１２６〜１２９は、その磁化の方向が正常動作条件中に変化しない一方向にピン止めされるとき固定またはピン止め磁気層として機能する。本明細書に開示されるように、ピン止め層１０６〜１０９、１１６〜１１９、および１２６〜１２９をピン止めするために使用される材料の加熱品質によって、これらの層を形成するために採用される製作順序が変わる可能性がある。
【００２０】
検知素子１０２〜１０５、１１２〜１１５、１２２〜１２５の各々の１つと、ピン止め層１０６〜１０９、１１６〜１１９、１２６〜１２９の各々の１つとは、磁気トンネル接合（ＭＴＪ）センサーを形成する。たとえば、ブリッジ回路１２１では、検知素子１２２およびピン止め層１２６がＭＴＪセンサー１４１を形成する。同様に、検知素子１２３およびピン止め層１２７がＭＴＪセンサー１４２を形成し、検知素子１２４およびピン止め層１２８がＭＴＪセンサー１４３を形成し、検知素子１２５およびピン止め層１２９がＭＴＪセンサー１４４を形成する。
【００２１】
ピン止め層１０６〜１０９、１１６〜１１９、１２６〜１２９は、パターン化された基準層の長軸に沿って整列する磁化方向（矢印で示される）を有する単一のパターン化された強磁性層で形成されてもよい。しかしながら、他の実施形態では、ピン止め基準層は、パターン化された基準層の短軸に沿ったピン止め基準層の磁化を整列させるために使用される合成反強磁性（ＳＡＦ）層で実施されてもよい。上記の内容から分かるように、ＳＡＦ層は下層の反強磁性ピン止め層と組み合わせて実施されてもよいが、十分に強力な磁化を提供する適切な形状および材料を有するＳＡＦ構造を使用すると、下層の反強磁性ピン止め層は必要でなくなり、それによって、より簡単な製造プロセスが提供されてコストが削減され得る。
【００２２】
検知素子１０２〜１０５、１１２〜１２５、１２２〜１２５は、１０〜５０００Å（１ｎｍ〜５００ｎｍ）の範囲の厚さ、また選択された実施形態では１０〜６０Å（１ｎｍ〜６ｎｍ）の厚さの１層または複数層の強磁性材料で形成されてもよい。上位の強磁性材料は、ＮｉＦｅ、ＣｏＦｅ、Ｆｅ、ＣＦＢなどの軟磁性材料であってもよい。各ＭＴＪセンサーでは、これらの磁化方向が地球の磁場などの外部印加磁場の存在によって偏向されうるので、検知素子１０２〜１０５、１１２〜１２５、１２２〜１２５は検知層または自由磁気層として機能する。最終的に形成される検知素子１０２〜１０５、１１２〜１２５、１２２〜１２５は、パターン化された形状の長軸に沿って整列する磁化方向（矢印で示される）を有する単一強磁性層で形成されてもよい。
【００２３】
ピン止め層１０６〜１０９、１１６〜１１９、１２６〜１２９と、検知素子１０２〜１０５、１１２〜１２５、１２２〜１２５とは、異なる磁気特性を有するように形成されてもよい。たとえば、ピン止め層１０６〜１０９、１１６〜１１９、１２６〜１２９は、これらの磁化方向が一方向にピン止めされて外部からの印加磁場によって実質的に影響を受けないように、高い保磁力を有する層を形成するとともに、ヒステリシス曲線を相殺するために強磁性薄膜に結合された反強磁性薄膜交換層で形成されてもよい。対照的に、検知素子１０２〜１０５、１１２〜１２５、１２２〜１２５は、軟磁性材料で形成されて、比較的低い異方性および保磁力を有する種々の磁化方向を提供して、検知電極の磁化方向が外部からの印加磁場によって変更され得るようにしてもよい。選択された実施形態では、ピン止め磁場の強度は検知電極の異方性磁場よりも約２桁大きいが、これらの組成を変えるために周知の手法を用いて電極のそれぞれの磁気特性を調整することによって、異なる比が採用されてもよい。
【００２４】
ＭＴＪセンサーのピン止め層１０６〜１０９、１１６〜１１９、１２６〜１２９は、ピン止め層１０６〜１０９、１１６〜１１９、１２６〜１２９（図１で「ピン止め方向」と表記された各センサーブリッジに対してベクトル矢印で識別される）の平面内で形状が定められた磁化方向を有するように形成される。本明細書に記載するように、ピン止め層１０６〜１０９、１１６〜１１９、１２６〜１２９の磁化方向は、ピン止め電極の形状異方性を用いて得られてもよく、その場合、ピン止め層１０６〜１０９、１１６〜１１９、１２６〜１２９の形状は、各々が単一ピン止め層に対するピン止め方向に長くてよい。あるいは、ピン止めＳＡＦ構造の場合、基準層およびピン止め層はピン止め方向に沿って短くてもよい。特に、ピン止め層１０６〜１０９、１１６〜１１９、１２６〜１２９の磁化方向は、印加される配向磁場がピン止め層１０６〜１０９、１１６〜１１９、１２６〜１２９の所望のピン止め方向の磁場成分を含むように、形成されたピン止め層１０６〜１０９、１１６〜１１９、１２６〜１２９の最も長い配向軸に非直交的に配向される配向磁場の存在下で形成されたピン止め層１０６〜１０９、１１６〜１１９、１２６〜１２９をまず加熱することによって得られてもよい。ピン止め層の磁化方向は、少なくとも一時的に所定の方向に整列される。しかしながら、この処理中にピン止め層を適切に加熱し加熱を弱めることなく配向磁場を取り除くことによって、形成されたピン止め層１０６〜１０９、１１６〜１１９、１２６〜１２９の所望の配向軸に沿ってピン止め層の磁化が緩和する。磁化が緩和すると、ピン止め電極層の磁場方向が形成されたピン止め層１０６〜１０９、１１６〜１１９、１２６〜１２９に対して所望の方向に設定されるように、ピン止め層は焼鈍および／または冷却されうる。
【００２５】
本明細書に記載される例示的な実施形態は、以下のように既知のリソグラフィ処理を用いて製造されてもよい。集積回路、マイクロエレクトロニックデバイス、マイクロエレクトロ・メカニカル・デバイス、マイクロ流体素子、および光素子の製造は、何らかの方法で相互作用する複数層の材料の生成に関わる。１つまたは複数のこれらの層は、層の様々な領域が異なる電気的またはその他の特性を有するようにパターン化されてもよく、それによって、層内で相互接続されたり他の層と相互接続されたりして電気部品および電気回路を生成してもよい。これらの領域は、様々な材料を選択的に導入または除去することによって生成されてもよい。このような領域を定義するパターンは、リソグラフィ処理によって生成されることが多い。たとえば、フォトレジスト材料の層は、ウエハ基板を覆う層に適用される。このフォトレジスト材料を紫外線、電子、またはＸ線などの放射に選択的にさらすためにフォトマスク（透明領域および不透明領域を含む）が使用される。放射にさらされたフォトレジスト材料も、放射に晒されないフォトレジスト材料も、現像剤を適用することによって除去される。この後、残留レジストによって保護されない層にエッチングが適用されてもよく、レジストが除去されると、基板を覆う層がパターン化される。あるいは、たとえば、フォトレジストをテンプレートとして使用して構造を形成する付加的な処理も採用されうる。
【００２６】
本発明の例示的な実施形態に従って図２を参照すると、第３のブリッジ回路１２１のＭＴＪデバイス１４１〜１４４の構造は、ピン止め層１２６〜１２９、検知素子１２２〜１２５、および磁束ガイド１３２〜１３９を含み、すべてが誘電材料１４０内に形成される。磁束ガイド１３６は、ライン１４５に隣接して配置され、センサー素子１２２の端部の下方に配置された端部を有する。磁束ガイド１３３および１３８は、ライン１４６の両側の側面に配置され、センサー素子１２３および１２４の端部の下方にそれぞれ位置する端部を有する。磁束ガイド１３５は、ライン１４７に隣接して配置され、センサー素子１２５の端部の下方に位置する端部を有する。磁束ガイド１３２および１３７は、上のライン１４８によって相隔てられ、それぞれセンサー素子１２２および１２３の端部の上方に位置する端部を有し、磁束ガイド１３４および１３９は、上位ライン１４９によって相隔てられ、センサー素子１３４および１３９の端部の上方にそれぞれ位置する端部を有する。ライン１４５〜１４９は、銅であることが好ましいが、一部の実施形態では誘電体であってもよい。検知素子に対して安定化磁場を提供するＭＴＪデバイス１４１〜１４４の上方に金属安定化ライン１５０が配置される。磁束ガイドの端部は、センサー素子に可能な限り近づけられてよく、両者の間隔は２５０ｎｍ以下であることが好ましい。各検知素子は、最高密度アレイの場合に可能な限り近づけられ、間隔は２．５μｍ未満であることが好ましい。
【００２７】
図３は、ｚ方向の磁場が検知素子１２２〜１２３に与えられる場合に図２のＭＴＪデバイス１４１、１４２の有限要素シミュレーションによって計算される磁束線の図である。ＦＥＭモデル化は、結果として得られる磁束線１６０を示しており、センサーの平面内の成分を表わす。ＭＴＪデバイス１４１は、検知素子１２２の対向端部の磁束ガイド１３２および１３６によって表わされる。ＭＴＪデバイス１４２は、検知素子１２３の対向端部の磁束ガイド１３３および１３７によって表わされる。換言すると、検知素子１２２は磁束ガイド１３２および１３６から延在し、検知素子１２３は磁束ガイド１３３および１３７から延在する。Ｚ軸１３０の磁場１６０は、矢印１７０で示すように、Ｘ軸１２０に沿って検知素子１２２、１２３で非対称応答を生成する。このように、ページの下方に向かうＺ方向１３０の磁場１６０の場合、検知素子１２２の磁化は、ピン止め層１２６のピン止め方向から（より高い抵抗に）離れるように回転するが、検知素子１２３の磁化は、ピン止め層１２７のピン止め方向に（より低い抵抗に）向かって回転する。Ｘ方向１２０の磁場の場合、両方の素子１２２、１２３は、同じ方向の（より高いあるいはより低い抵抗に向かう）誘導磁化を示す。したがって、ＭＴＪ素子１４１、１４２を示差測定のためにホイートストンブリッジで配線し、ＭＴＪデバイス１４１、１４２の抵抗を差し引くことによって、Ｘ磁場応答が排除されて、Ｚ磁場応答の２倍が測定される。
【００２８】
図２を再び参照すると、磁束ガイド１３２〜１３９に磁化擾乱および磁区構造を誘導する可能性のある大きい磁場に暴露される場合、大きい電流パルスが金属ライン１４５〜１４９に沿って導入されて、磁束ガイドの磁区構造をリセットする可能性がある。
【００２９】
別の例示的な実施形態（図４に示される）では、被覆ライン１４５〜１４９の各々が２つの独立した金属ラインに分割され、さらなる非磁束ガイド被覆（non-flux guiding cladding）（１６１〜１６８および１９１〜１９８）がこれら２本の金属ラインの間の内端部において配置される。センサー１４１では、左の金属ライン１４８の左端部の磁束ガイド１６１がＺ磁束をその左の検知素子１２２に案内し、右の金属ライン１４５の最右端部の磁束ガイド１９２がＺ磁束をその右の検知素子１２２に案内する。センサー１４２〜１４４は同様に機能し、各検知素子に隣接する金属ラインの被覆端部は、アクティブな磁束案内機能を果たす。これらのラインは分離されているので、電流は、被覆ライン１４５、１４６、１８２、および１８３を通ってページに入り、被覆ライン１８１、１４７、１４８、および１４９を通ってページから出て、常に一定の方向（この例では下方）を指し示すＺ成分を有する磁場を被覆ライン端部に沿って生成するように形成され得る。これらの電流配向は、Ｚ方向に強力な成分を有する磁場を生成する働きをすることができ、形状の較正によって、Ｚ軸応答の機能性および感度のセルフテストとしての機能を果たすことができる。
【００３０】
別の例示的な実施形態（図５参照）は、磁束ガイド１３２〜１３９において一体的に形成された延長部分１５２〜１５９を含む。延長部分１５２〜１５９は、センサー素子１２２〜１２５と同じ軸に沿って延び、磁束ガイドの水平成分を増強し、水平成分を適切な検知素子１２２〜１２５の中心にさらに移動させる。
【００３１】
図２の垂直素子１３２〜１３９を含む磁束ガイドと、図５の延長部分１５２〜１５９を含む「Ｌ」字形磁束ガイドとに関して様々な例示的実施形態が示されているが、箱型または「Ｕ」字形磁束ガイドなど、上下両方の磁束ガイドに関して他の例示的実施形態が使用されてもよい。「Ｕ」字形構造（図６）では、水平ＮｉＦｅセグメント１７１が下の金属ラインに沿って２つの垂直セグメント１６１、１６２を接続するが、箱型構造（図８）では、上の両金属ラインと同様に水平セグメント１７２が２つの垂直セグメントを接続する。水平セグメントは２つの垂直セグメントの磁気構造を結合して、磁場変換係数を２つの分離された垂直磁束ガイドのそれよりも１０〜２０％増加させるのに役立つ。箱様構造の２つの水平セグメントは、単純な垂直磁束ガイドよりも良好な結合を提供するとともに磁場変換係数を２０〜４０％増加させる。さらに、図６の「Ｕ」字形構造の垂直セグメントは、検知素子端部に近い領域が水平成分を有するように張り出してもよい（１７３、１７４（図７））。Ｌ字形ガイドと同様に、張り出しセグメントは、磁場変換係数をさらに拡大するための成分がまさに磁気センサーの平面内にあるように磁束を案内する。しかしながら、覆い部分が大きすぎないよう、あるいは磁束がセンサーから遮蔽されるよう注意しなければならない。
【００３２】
図９は、検知素子の上方および下方に配置された幅２５ｎｍ、高さ５００ｎｍの垂直セグメントに対するＺ／Ｘ感度比対被覆／センサー間隔を示すグラフである。被覆を２５ｎｍの距離に近づけると、Ｚ／Ｘ感度は約７５％に上昇する。先に強調されたような断面の変更によって、あるいは磁束ガイドのアスペクト比の改善によって、さらなる要因が得られる可能性があり、たとえば、ガイドを高くしアスペクト比を大きくすると、これに比例してＺ／Ｘ感度比が大きくなる。したがって、磁束ガイドを検知素子に可能な限り近づけるとともに磁気微細構造に悪影響を与えることなく、そのアスペクト比を可能な限り大きくすることが重要である。
【００３３】
本明細書で開示された説明済みの例示的な実施形態は、様々なセンサー構造およびその製造方法を対象としているが、本発明は、広範な半導体プロセスおよび／またはデバイスに適用されうる本発明の創意に富んだ態様を説明する例示的な実施形態に必ずしも限定されない。それゆえ、先に開示された具体的な実施形態は、単なる例示であり、本発明に対する制限であると解釈されるべきではなく、本発明は修正され本明細書の教示の恩恵にあずかる当業者には明らかに異なるものの同等の方法で実施されてよい。たとえば、センサー構造における検知およびピン止め層の相対位置は、ピン止め層が上にあり、検知層が下にあるように反転されてもよい。また、検知層およびピン止め層は、開示されたものと異なる材料で形成されてもよい。さらに、記載された層の厚さは、開示された厚さの値から外れていてもよい。したがって、前述の説明は、本発明を記述された特定の形態に制限するものでなく、逆に、添付の特許請求の範囲によって規定される本発明の趣旨および範囲に含まれる可能性のあるような、代替形態、修正形態、および等効物を包含するものであり、したがって、当業者は最も広い形態において本発明の趣旨および範囲から逸脱することなく様々な変更、代替、および修正をなしうることを理解すべきである。
【００３４】
諸問題に対する恩恵、他の優位性、および解決策を具体的な実施形態に関して先に説明してきた。しかしながら、諸問題に対する恩恵、優位性、解決策、ならびに何らかの恩恵、優位性、または解決策をもたらしめ、あるいはより顕著にならしめる可能性のあるいかなる要素も、ありとあらゆる請求項のきわめて重要な、所要の、あるいは必須な特徴または要素であると解釈されるべきではない。本明細書で使用される用語「備える」、「備えている」、またはこれらの他のいかなる変形形態も、要素の一覧を備える処理、方法、品目、または装置がこれらの要素を含むだけでなく、明示的に記載されない他の要素、あるいはかかる処理、方法、品目、または装置に固有の他の要素を含むように非排他的包含を網羅するものである。
【００３５】
前述の詳細な説明では、少なくとも１つの例示的な実施形態を提示しているが、数多くの変形形態が存在することを理解されたい。また、例示的な実施形態は、単なる例であり、本発明の範囲、適用性、または構成を何らかの方法で制限するものではない。むしろ、前述の詳細な説明は本発明の例示的な実施形態を実施するための好都合なロードマップを当業者に提供するもので、添付の特許請求の範囲に記述される本発明の範囲から逸脱することなく例示的な実施形態に記載される要素の機能および配置において様々な変更がなされてもよいことが理解される。
【図１】
2016048256.tif 000003
【図２】
2016048256.tif 000004
【図３】
2016048256.tif 000005
【図４】
2016048256.tif 000006
【図５】
2016048256.tif 000007
【図６】
2016048256.tif 000008
【図７】
2016048256.tif 000009
【図８】
2016048256.tif 000010
【図９】
2016048256.tif 000011